(57)【要約】【課題】着火、燃焼状態を遠くからでも一目で確認できるようにすると共に、燃焼状態が自然の炎に見えるようにすること。【解決手段】燃焼室の前面の広い面積に設けられた発光体１０と、発光体１０の前面に空間を設けて取り付けられた半透光性部材１２と、空間の下部に設けられた第二の対流用ファン１４と、その吐出口１７から送風される空気流により容易にゆらぐリボン状の反射部材１６とを備えている。これによって、発光体１０が発光した際、リボン状の反射部材１６のゆらぎにより、ランダムに拡散し、かつ、ゆらいだ光を半透光性部材１２へ拡散して炎の様に見えるので、これが燃焼と連動した際は、燃焼していることを一目で確認することができる。【選択図】  図１
2004239464.tif 000002
【特許請求の範囲】
【請求項１】
温風暖房部と該温風暖房部の前面に設けた照明ユニットからなり、前記温風暖房部は、バーナー、燃焼ガスと空気を混合する燃焼室、温風を送出する第１の対流用ファン、温風を吹出す温風吹出し口及び燃焼用の空気を取り込む対流用フィルターとを備え、前記照明ユニットは、前記燃焼室の前面に設けた発光体、前記発光体の前面に取り付けた半透光性部材、前記発光体と前記半透光性部材との間に設けたリボン状反射部材及び前記リボン状反射部材の下部に設けた第２の対流用ファンとを備え、前記リボン状反射部材を前記第２の対流用ファンの吐出口近傍に固設した温風暖房装置。
【請求項２】
半透光性部材の一部は、第２の対流用ファンの空気の取り入れ口及び吐き出し口を構成すると共に、前記第２の対流ファンとの隣接面には遮光処理が施こされている請求項１記載の温風暖房装置。
【請求項３】
リボン状の反射部材に配色処理を施した請求項１又は２記載の温風暖房装置。
【請求項４】
リボン状の反射部材を複数個設け、これらの取り付け長さは相互に異なる請求項１、２又は３記載の温風暖房装置。
【請求項５】
リボン状の反射部材に形状の異なる金属箔性反射板を取り付けた請求項１〜４のいずれか１項に記載の温風暖房装置。
【請求項６】
リボン状の反射部材の上部を固定した請求項１〜５のいずれか１項に記載の温風暖房装置。
【発明の詳細な説明】
【０００１】
【発明の属する技術分野】
本発明は、温風を吹き出して室内を暖房する温風暖房機に関するものである。
【０００２】
【従来の技術】
従来、この種の温風暖房機としては図５に示すように、例えば表示器を突出して設け、機器正面・両側面・上面より運転状態が発光により確認できるように構成したものがある。
【０００３】
図５において、１は温風暖房機本体で、２は前面上部に備えられた操作部、３は温風を吹き出すルーバー４を取り付けた温風吹き出し口、５は背面の温風取り入れ口６に取り付けられた対流用ファン、９はバーナーヘッド部１０を突出して設けられバーナー部で、１１はバーナーヘッド１０を囲み燃焼空間を形成する燃焼筒である。４６は操作部２と温風吹き出し口３との間の中央部に設けられたカラー表示部で、赤色及び緑色の２色発光する発光部４７と、この発光部４７の光をカラー表示部４６の周囲に拡散させる拡散レンズ４８とにより構成されている（例えば、特許文献１参照）。
【０００４】
【特許文献１】
特開２００１−３３６８２９号公報（第２〜３Ｐ、第２図）
【０００５】
【発明が解決しようとする課題】
しかしながら、前記従来の構成では、表示器を突出して設け、機器正面・両側面・上面より運転状態が発光により確認できるものであるが、表示器が小さいため、遠くからはその運転状態がはっきりと確認できないという課題を有していた。特にガスを使用した温風暖房機は運転音が静かになり、弱燃焼の場合は騒音が２２ｄＢと低く、燃焼しているかどうか一目で確認できないため、うっかり消し忘れてしまい、燃焼継続になる可能性がある。本発明は、遠くからでも一目で機器の運転状態が確認でき、かつ、燃焼中に照明ユニット部により自然の炎に近い光を提供することで、視覚的にも暖かさを感じる温風暖房機を提供することを目的としている。
【０００６】
【課題を解決するための手段】
前記従来の課題を解決するために、本発明の温風暖房機は、バーナーと、前記バーナーからの燃焼ガスと外部より取り込んだ空気を混合する燃焼室と、温風を送出するための第一の対流用ファンと、温風を吹出す温風吹出し口と、燃焼用の空気を取り込む対流用フィルターとで構成された温風暖房部と、前記燃焼室の前面に設けられた発光体と、前記発光体の前面に空間を設けて取り付けられた半透光性部材を設けた照明ユニットとを設けたものである。また，発光体と半透光性部材の間には、リボン状の反射部材を、照明ユニット下部に設けられた第二の対流用ファンの吐出側近傍に固定されている。
【０００７】
これによって、発光体に通電し、発光照明状態にある時、第二の対流用ファンを起動すると、その吐出側から送風された空気で、リボン状の反射部材が、ランダムにゆらぎ、その後方に位置する発光体の光をランダムにさえぎることにより、発光体を炎のように見せることが出来るため、暖かさを視覚で感じることができると同時に、遠くからでもひと目で機器の運転状態が確認できる。
【０００８】
【発明の実施の形態】
請求項１記載の発明は、バーナーと、バーナーからの燃焼ガスと外部より取り込んだ空気を混合する燃焼室と、温風を送出するための第一の対流用ファンと、温風を吹出す温風吹出し口と、燃焼用の空気を取り込む対流用フィルターとで構成された温風暖房部と、燃焼室の前面に設けられた発光体と、発光体の前面に空間を設け取り付けられた半透光性部材を有する照明ユニットとを設け、かつ照明ユニットの空間の下部に、第二の対流用ファンと、その吐出側近傍で固定された複数のリボン状の反射部材が設けられている。発光体に通電、発光照明されると同時に、第二の対流用ファンを起動させると、その吐出側の近傍で固定された複数のリボン状の反射部材が送風時の風でランダムにゆらぎ始め、その後方からの発光体からの光をランダムにさえぎることが出来、その光を映し出す半透光性部材部はいかにも炎がゆらいだ様に見えるため、温風暖房機として、燃焼状態を遠くからでも一目で確認出来、外出時の消し忘れによるつけっ放し防止や、また点火の確認も容易にできる。さらに発光体の発光をより自然の炎の様に見せるため、暖かさを視覚で感じることができる。
【０００９】
請求項２記載の発明は、特に請求項１に記載の照明ユニット部の下部に第二の対流用ファン用の空気取り入れ口、照明ユニット上方に空気排出口をより積極的に設けることにより、第二の対流用ファン起動時の空気の流れを、確実に下方から上方への向きに送風させ、第二の対流用ファンの吐出側近傍に設けた複数のリボン状の反射部材に空気流をより確実に当てることより、よりランダムなゆらぎが作りだせ、リボン状の反射部材後方の発光体からの光をランダムにさえぎって、半透光性部材を通し、光を自然の炎の様に見せる効果がある。また、半透光性部材の下部で、第ニの対流用ファン前面部を遮光処理を施すことにより、内部に構成された第ニの対流用ファンの視界をより確実に隠すと同時に、半透光部材の下部からは当該温風暖房装置の前方から見た時の光を確実に遮断することにより、暗い視野からより自然の炎らしい照明を作り出す構成ができ、温風暖房部の燃焼状態と連動させると、より確実にその燃焼状態を一目で遠くから確認できるという効果がある。
【００１０】
請求項３記載の発明は、複数のリボン状の反射部材を、複数の着色処理、例えば、自然の炎により近い、赤色や黄色等処理した布や、着色樹脂テープ等で構成することに、発光体からの光をより自然の炎の様に見せながら、半透光性部材に映し出すことが出来、より視覚的に自然の炎の色に近い色を出すことで、より暖かさを感じることができるという効果がある。
【００１１】
請求項４記載の発明は、複数のリボン状の反射部材の取り付け長さを変えることにより、第二の対流用ファンからの吐出送風による、個々のリボン状の反射部材のゆらぎを、よりランダムに変化させることが出来、その結果、発光体からの光も、より確実にランダム遮光でき、かつ、あたかも高さの異なる炎がゆらいでいるように見えるため視覚で暖かさを感じることが可能である。
【００１２】
請求項５記載の発明は、複数のリボン状の反射部材に、例えばその表面が鏡面仕上げの形状の異なる金属箔性反射板を取り付けることにより、当該リボン状の反射部材がゆらぎ始めると、その後方の発光体からの光をその反射により周囲にランダムに光を反射することができるため、発光体の発光をより広く拡散して、炎のような光り方にでき、視覚的により暖かさを感じさせることができる。
【００１３】
請求項６記載の発明は、複数のリボン状の反射部材の上部を固定することにより、当該複数のリボン状の反射部材が、第二の対流用ファンの吐出風量でゆらぐとき、各々が絡み合い易いという欠点を防止することが出来、より確実に前記複数のリボン状の反射部材をゆらがせ、確実に発光体の発光をより拡散させ、炎のような光り方にでき、視覚的に暖かさを感じさせることができという効果がある。
【００１４】
【実施例】
以下、本発明の実施例について図面に基づき説明する。
【００１５】
（実施例１）
図１は、本発明の温風暖房機の断面図を示すものである。図２は本発明の温風暖房機の正面図である。図１において、バーナー１にて供給されたガスの燃焼を行う。燃焼により発生した排気ガスと空気を混合する燃焼室２がある。バーナー１の下方には温風３を送出するための第一の対流用ファン４を設けている。第一の対流用ファン４の下流側には温風を導くルーバー５を取り付けた温風吹出し口７がある。ケース６の後面には対流用空気を取り入れるための網目状の対流用フィルター８があり、以上の構成により温風暖房部９を形成している。
【００１６】
また、１０は通電時に発光する発光体で、燃焼室２の前面に複数個設けられている。発光体１０を囲み燃焼室２と仕切る仕切り板１１が燃焼室２とある一定の空間を保って設けられている。発光体１０の前方の機器正面には、一定の空間を設けて半透光性部材１２があり、以上の構成で照明ユニット１３を形成している。照明ユニット１３には第二の対流用ファン１４とその第二の対流用ファンを駆動させる駆動用モーター１５があり、第二の対流用ファン１４の吐出口１７近傍には、複数の例えば布製や樹脂ビニール製のリボン状の反射部材１６が固定されている。制御装置１８は、バーナー１、第一の対流用ファン４、発光体１０、第二の対流用ファン１４を駆動させる駆動用モーター１５と図の破線で電気的に結合され、各部品を制御している。
【００１７】
次に、以上のように構成された温風暖房装置について、以下その動作・作用について説明する。温風暖房部９はバーナー１でガスを燃焼させ、発生する高温の排気ガスと、燃焼室２の燃焼風路内で対流用フィルター８を通過した対流用空気が混合される。混合された温風は、第一の対流用ファン４によって前面下部の温風吹出し口７から温風３になって送出され暖房を行なう。また照明ユニット１３は、燃焼時に発光体１０が発光すると同時に、駆動用モーター１５を駆動させ、第二の対流用ファン１４を運転する。すると第二の対流用ファン１４の吐出口１７より、上方に向って空気が排出されるため、その空気流で吐主口１７近傍に固定された複数のリボン状の反射部材１６が、ランダムに吹き上がり、かつゆらぎ始め、発光体１０の光をランダムに拡散させ、機器全面の半透光性部材１２を通りさらに全面拡散することにより、光り方を視覚的に炎のようにみせることができる。半透光性部材１２は、外部から内部の様子がほとんど確認できないため、内部の発光体１０、複数のリボン状の反射部材１６、第二の対流用ファン１４そのものを確認できないようにしている。
【００１８】
以上のように本実施例においては、照明ユニット１３が機器前面の広い面で発光し、燃焼と連動させると、遠くから一目で燃焼していることが確認できるため、点火の確認も容易になり、消し忘れによるつけっ放しで外出する等を防止でき、安全性を高めることができる。また、照明ユニット１３の発光を視覚的により炎のように見せられるため、疑似火炎により使用者に視覚で暖かさを感じさせることが可能であり、省エネ効果も得ることができる。  また、照明ユニット１３である半透光性部材１２と発光体１０を吹き出し口７の上部より機器上部まで設けていることにより、照明ユニット１３を機器前面の広い面に設け、燃焼と連動して発光体１０を発光させると、遠くからでも発光が確認でき、燃焼していることが分かり、上記効果をより強化することができる。
【００１９】
ここで、半透光性部材１２はガラス板あるいは樹脂板で構成することで、半透光性部材１２を薄く形成でき、機器の大きさを抑制することができる。また、発光体１０を複数のＬＥＤで構成することで、安価で寿命の長く消費電力の少ないＬＥＤを複数個機器前面の広い面に配置し、点灯する箇所と数をかえることと、第二の対流用ファン１４の駆動を変動させる組み合わせにより、発光体１０の前方に配置された複数のリボン状の反射部材１６のランダムなゆらぎにより、容易に発光体１０の光をランダムにさえぎることにより、半透光性部材１２を通過する光をよりランダムなゆらぎのある全面拡散させることで、あたかも自然の炎がゆらいでいるように見えるため、使用者に視覚で暖かさを感じさせることを可能とし、しかも点火や燃焼状態を遠くから容易に確認できる。
【００２０】
また、本実施例は、発光体１０と燃焼室２を仕切り、かつ発光体１０を囲む仕切り板１１を設け、仕切り板１１の表面に反射体を設けるか、または反射しやすい加工を施したものである。仕切り板１１は、燃焼室２とは空間を設けて取り付けられているため、燃焼に必要な対流用空気１９はこの間を通過して、良好な燃焼をすることができる。燃焼により発生する熱は、この仕切り板１１により遮断され、発光体１０の温度上昇を防止する。また、反射体を取り付けるか反射加工をすることで、発光体１０が発光した光りが反射して輝度が増し、より明るくみせることができる。
【００２１】
（実施例２）
図３は、本発明の実施例２の温風暖房装置の断面図である。図３において、照明ユニット１３の下部には、半透光性部材１２との間に第二の対流用ファン１４駆動時の空気のの空気取リ入れ口２０が、また、照明ユニット１３の上部には、半透光性部材１２との間に第二の対流ファン１４から放出された空気を逃がすための吐き出し口２１が設けてある。
【００２２】
従って対流用ファン１４が駆動用モーター１５により駆動し始めると、その吐出口１７からの空気流は、確実に上方に向った空気流を作り出すことが出来、その空気流に当たる複数のリボン状の反射部材１６を確実にランダムにゆらがすことができ、前記リボン状の反射部材後方の発光体１０からの光をランダムにさえぎることにより、機器全面部の半透光性部材１２からの光を全面拡散、より自然の炎に近づけることができる。
【００２３】
また、半透光性部材１２の下部で、第二の対流用ファン全面部は黒く遮光処理を施し、発光体１０からの光の拡散が機器全面に漏れない様工夫することで、暗い視野からより自然の炎に近い照明を半透光性部材１２部に浮かびあがらせることができる。
【００２４】
（実施例３）
図１及び図３において、その複数のリボン状の反射部材１６の素材、例えば布製や樹脂ビニール製のリボンを複数の色に着色することにより、発光体１０からの光をより自然の炎に近い光に変え拡散させることが出来、容易に自然に近い炎の照明を作ることができる。
【００２５】
（実施例４）
図１及び図３において、その複数のリボン状の反射部材１６のリボン状の取り付け長さを変えることにより、第二の対流用ファン１４からの吐出された空気流でのリボン状の反射部材１６のゆらぎ高さにランダムな複雑な変化を生み出すことができ、より一層自然に近い炎の照明を作ることができる。
【００２６】
（実施例５）
図１及び図３において、その複数のリボン状の反射部材１６に、図４で示す如く、その表面に、複数の、例えばアルミ箔製の形状の異なる金属箔性反射板２２を貼り付けることにより、発光体１０の光をよりランダムに周囲に拡散させることが出来、リボン状の反射部材１６のゆらぎにより、より複雑な乱反射を生み出し、より一層自然に近い炎の照明を作ることができる。
【００２７】
（実施例６）
図１及び図３において，その複数のリボン状の反射部材１６を、第二の対流用ファン１４の吐出口１７近傍で固定すると同時に、上記複数のリボン状の反射部材１６の長さを少したるみを持って照明ユニット１３の上部でも固定することにより、下部のみ固定した場合のゆらぎ時に発生しやすく、前記複数のリボン状の反射部材１６どうしの絡み易すいという欠点を防止し、より確実に前記複数のリボン状の反射部材のゆらぎを確保し、確実に自然に近い炎の照明を作ることができる。
【００２８】
【発明の効果】
以上のように、本発明によれは、機器の前面に照明ユニットを設け、燃焼と連動させて発光体を発光させると、遠くからでも一目で燃焼していることが確認できるため、点火の確認も容易になり、つけっ放しで外出する等の消し忘れを防止でき、安全性を一層高めることができる。また、照明ユニットの発光を炎のように見せられるため、疑似火炎により使用者に視覚で暖かさを感じさせることが可能であり、省エネ効果も期待することができる。
【図面の簡単な説明】
【図１】本発明の実施例１における温風暖房装置の断面図
【図２】同温風暖房装置の正面図
【図３】本発明の実施例２における温風暖房装置の断面図
【図４】本発明の実施例５の温風暖房装置におけるリボン状の反射部材を示す図
【図５】従来の温風暖房装置の断面図
【符号の説明】
１  バーナー
２  燃焼室
４  第一の対流用ファン
５  ルーバー
７  温風吹き出し口
８  対流用フィルター
９  温風暖房部
１０  発光体
１２  半透光性部材
１３  照明ユニット
１４  第二の対流用ファン
１６  リボン状の反射部材
１７  吐出口
２０  空気取り入れ口
２１  吐き出し口
２２  金属箔性反射板
【図１】
2004239464.tif 000003
【図２】
2004239464.tif 000004
【図３】
2004239464.tif 000005
【図４】
2004239464.tif 000006
【図５】
2004239464.tif 000007